【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
ログデータを収集する複数のログデータ収集装置と、前記複数のログデータ収集装置にネットワークを介して接続され、前記複数のログデータ収集装置から送信されるログデータを管理するログデータ管理装置とを備えるログデータ管理システムであって、
前記ログデータ収集装置は、
未送信の前記ログデータに関する滞留情報を前記ログデータ管理装置に送信する滞留情報送信手段と、
前記ログデータ管理装置にログデータを送信する送信間隔を変更するための送信間隔制御情報を、前記ログデータ管理装置から受信する送信間隔制御情報受信手段と、
前記受信した送信間隔制御情報に基づき前記ログデータの送信間隔を変更する送信間隔変更手段と、
前記変更された送信間隔により送信時間となった場合、前記未送信のログデータを前記ログデータ管理装置に送信するログデータ送信手段とを備え、
前記ログデータ管理装置は、
前記複数のログデータ収集装置から送信される滞留情報を受信する滞留情報受信手段と、
前記受信された滞留情報と予め設定される送信間隔に従って、前記複数のログデータ収集装置が前記ログデータを送信する個々の送信間隔を決定する送信間隔決定手段と、
前記決定された送信間隔に応じた送信間隔制御情報を前記複数のログデータ収集装置に送信する送信間隔制御情報送信手段と
を備えることを特徴とするログデータ管理システム。
【請求項２】
前記ログデータ管理装置は、
前記ログデータ収集装置からログデータを受信するログデータ受信手段と、
予め設定される前記複数のログデータ収集装置からの同時受信の制限数を超えるか否かを判定する判定手段と、
前記判定手段で同時受信の制限数を超えると判定される場合に、前記複数のログデータ収集装置に、ログデータが同時受信できないことによる通知情報を送信する通知情報送信手段と、
前記ログデータ収集装置は、
前記通知情報を受信する通知情報受信手段と、
前記送信間隔変更手段は、前記通知情報の受信に従って送信間隔を変更すること
を特徴とする請求項１に記載のログデータ管理システム。
【請求項３】
前記ログデータはイメージデータとテキストデータとを含み、
前記ログデータ送信手段は、前記イメージデータに先立って前記テキストデータを送信し、
前記ログデータ受信手段は、前記イメージデータに先立って前記テキストデータを受信することを特徴とする請求項請求項１又は２に記載のログデータ管理システム。
【請求項４】
前記ログデータ管理装置は、
前記ログデータ受信手段で受信したログデータが警告すべきログデータか否かを前記テキストデータから判断する警告判断手段と、
前記ログデータが警告すべきログデータと判断された場合、管理者の情報処理装置にログデータを識別する識別情報を含む警告情報を送信する警告情報送信手段と、
前記管理者の情報処理装置から前記警告情報に対する閲覧指示情報を受信する閲覧指示受信手段と、
前記閲覧指示情報に含まれるログデータの識別情報に従って、前記ログデータのイメージデータを取得するイメージデータ取得手段と、
前記取得したイメージデータを送信するイメージデータ送信手段と
を備えることを特徴とする請求項３に記載のログデータ管理システム。
【請求項５】
前記ログデータ管理装置は、
前記識別情報に対応するイメージデータが存在するか否かを判定するイメージデータ判定手段と、
前記イメージデータが存在しない場合、前記ログデータ受信手段でのログデータの受信を停止するログデータ受信停止手段とを備え、
前記ログデータ受信手段は、識別情報に対応するイメージデータを、当該イメージデータが格納されている前記ログデータ収集装置から受信することを特徴とする請求項４に記載のログデータ管理システム。
【請求項６】
前記滞留情報は未送信のログデータのサイズであることを特徴とする請求項１乃至５のいずれか１項に記載のログデータ管理システム。
【請求項７】
前記ログデータ管理装置は、
前記ログデータ受信手段で受信したテキストデータとイメージデータを紐付けて記憶するログデータ記憶手段を更に備えることを特徴とする請求項１乃至６のいずれか１項に記載のログデータ管理システム。
【請求項８】
ログデータを管理するログデータ管理装置とネットワークを介して接続されるログデータ収集装置であって、
未送信の前記ログデータに関する滞留情報を前記ログデータ管理装置に送信する滞留情報送信手段と、
前記滞留情報の送信に従って、前記ログデータ管理装置にログデータを送信する送信間隔を変更するための送信間隔制御情報を、前記ログデータ管理装置から受信する送信間隔制御情報受信手段と、
前記受信した送信間隔制御情報に基づき前記ログデータ送信手段によるログデータの送信間隔を変更する送信間隔変更手段と、
前記変更された送信間隔により送信時間となった場合、前記未送信のログデータを前記ログデータ管理装置に送信するログデータ送信手段と
を備えることを特徴とするログデータ収集装置。
【請求項９】
ログデータを収集する複数のログデータ収集装置とネットワークを介して接続されるログデータ管理装置であって、
前記複数のログデータ収集装置から送信される未送信のログデータに関する滞留情報を受信する滞留情報受信手段と、
前記受信された滞留情報と予め設定される送信間隔に従って、前記複数のログデータ収集装置が前記ログデータを送信する個々の送信間隔を決定する送信間隔決定手段と、
前記複数のログデータ収集装置の送信間隔を変更するために、前記決定された送信間隔に応じた送信間隔制御情報を前記複数のログデータ収集装置に送信する送信間隔制御情報送信手段と
を備えることを特徴とするログデータ管理装置。
【請求項１０】
ログデータを収集する複数のログデータ収集装置と、前記複数のログデータ収集装置にネットワークを介して接続され、前記複数のログデータ収集装置から送信されるログデータを管理するログデータ管理装置とを備えるログデータ管理システムの制御方法であって、
前記ログデータ収集装置は、
未送信の前記ログデータに関する滞留情報を前記ログデータ管理装置に送信する滞留情報送信ステップと、
前記ログデータ管理装置にログデータを送信する送信間隔を変更するための送信間隔制御情報を、前記ログデータ管理装置から受信する送信間隔制御情報受信ステップと、
前記受信した送信間隔制御情報に基づき前記ログデータの送信間隔を変更する送信間隔変更ステップと、
前記変更された送信間隔により送信時間となった場合、前記未送信のログデータを前記ログデータ管理装置に送信するログデータ送信ステップとを実行し、
前記ログデータ管理装置は、
前記複数のログデータ収集装置から送信される滞留情報を受信する滞留情報受信ステップと、
前記受信された滞留情報と予め設定される送信間隔に従って、前記複数のログデータ収集装置が前記ログデータを送信する個々の送信間隔を決定する送信間隔決定ステップと、
前記決定された送信間隔に応じた送信間隔制御情報を前記複数のログデータ収集装置に送信する送信間隔制御情報送信ステップと
を実行することを特徴とするログデータ管理システムの制御方法。
【請求項１１】
ログデータを管理するログデータ管理装置とネットワークを介して接続されるログデータ収集装置の制御方法であって、
未送信の前記ログデータに関する滞留情報を前記ログデータ管理装置に送信する滞留情報送信ステップと、
前記滞留情報の送信に従って、前記ログデータ管理装置にログデータを送信する送信間隔を変更するための送信間隔制御情報を、前記ログデータ管理装置から受信する送信間隔制御情報受信ステップと、
前記受信した送信間隔制御情報に基づき前記ログデータ送信手段によるログデータの送信間隔を変更する送信間隔変更ステップと、
前記変更された送信間隔により送信時間となった場合、前記未送信のログデータを前記ログデータ管理装置に送信するログデータ送信ステップと
を実行することを特徴とするログデータ収集装置の制御方法。
【請求項１２】
ログデータを収集する複数のログデータ収集装置とネットワークを介して接続されるログデータ管理装置の制御方法であって、
前記複数のログデータ収集装置から送信される未送信のログデータに関する滞留情報を受信する滞留情報受信ステップと、
前記受信された滞留情報と予め設定される送信間隔に従って、前記複数のログデータ収集装置が前記ログデータを送信する個々の送信間隔を決定する送信間隔決定ステップと、
前記複数のログデータ収集装置の送信間隔を変更するために、前記決定された送信間隔に応じた送信間隔制御情報を前記複数のログデータ収集装置に送信する送信間隔制御情報送信ステップと
を実行することを特徴とするログデータ管理装置の制御方法。
【請求項１３】
ログデータを収集する複数のログデータ収集装置と、前記複数のログデータ収集装置にネットワークを介して接続され、前記複数のログデータ収集装置から送信されるログデータを管理するログデータ管理装置とを備えるログデータ管理システムを機能させるためのプログラムであって、
前記ログデータ収集装置を、
未送信の前記ログデータに関する滞留情報を前記ログデータ管理装置に送信する滞留情報送信手段と、
前記ログデータ管理装置にログデータを送信する送信間隔を変更するための送信間隔制御情報を、前記ログデータ管理装置から受信する送信間隔制御情報受信手段と、
前記受信した送信間隔制御情報に基づき前記ログデータの送信間隔を変更する送信間隔変更手段と、
前記変更された送信間隔により送信時間となった場合、前記未送信のログデータを前記ログデータ管理装置に送信するログデータ送信手段として機能させ、
前記ログデータ管理装置を、
前記複数のログデータ収集装置から送信される滞留情報を受信する滞留情報受信手段と、
前記受信された滞留情報と予め設定される送信間隔に従って、前記複数のログデータ収集装置が前記ログデータを送信する個々の送信間隔を決定する送信間隔決定手段と、
前記決定された送信間隔に応じた送信間隔制御情報を前記複数のログデータ収集装置に送信する送信間隔制御情報送信手段として機能させることを特徴とするプログラム。
【請求項１４】
ログデータを管理するログデータ管理装置とネットワークを介して接続されるログデータ収集装置を、
未送信の前記ログデータに関する滞留情報を前記ログデータ管理装置に送信する滞留情報送信手段と、
前記滞留情報の送信に従って、前記ログデータ管理装置にログデータを送信する送信間隔を変更するための送信間隔制御情報を、前記ログデータ管理装置から受信する送信間隔制御情報受信手段と、
前記受信した送信間隔制御情報に基づき前記ログデータ送信手段によるログデータの送信間隔を変更する送信間隔変更手段と、
前記変更された送信間隔により送信時間となった場合、前記未送信のログデータを前記ログデータ管理装置に送信するログデータ送信手段として機能させることを特徴とするプログラム。
【請求項１５】
ログデータを収集する複数のログデータ収集装置とネットワークを介して接続されるログデータ管理装置を、
前記複数のログデータ収集装置から送信される未送信のログデータに関する滞留情報を受信する滞留情報受信手段と、
前記受信された滞留情報と予め設定される送信間隔に従って、前記複数のログデータ収集装置が前記ログデータを送信する個々の送信間隔を決定する送信間隔決定手段と、
前記複数のログデータ収集装置の送信間隔を変更するために、前記決定された送信間隔に応じた送信間隔制御情報を前記複数のログデータ収集装置に送信する送信間隔制御情報送信手段として機能させることを特徴とするプログラム。
【手続補正２】
【補正対象書類名】明細書
【補正対象項目名】発明の名称
【補正方法】変更
【補正の内容】
【発明の名称】ログデータ管理システム及びログデータ管理システムの制御方法、ログデータ収集装置及びログデータ収集装置の制御方法、ログデータ管理装置及びログデータ管理装置の制御方法、並びにプログラム
【手続補正３】
【補正対象書類名】明細書
【補正対象項目名】０００１
【補正方法】変更
【補正の内容】
【０００１】
本発明は、ネットワークを介してログデータの通信を実行するログデータ管理システム及びログデータ管理システムの制御方法、ログデータ収集装置及びログデータ収集装置の制御方法、ログデータ管理装置及びログデータ管理装置の制御方法、並びにプログラムに関する。
【手続補正４】
【補正対象書類名】明細書
【補正対象項目名】００１２
【補正方法】変更
【補正の内容】
【００１２】
本発明の目的は、複数のログデータ収集装置に滞留する未送信の印刷ログの均等化を図ることで情報漏洩の危険性を低減することができる仕組みを提供することにある。
また、その他の目的として、ログデータのテキストデータをイメージデータに優先して送信することで情報漏洩の危険性を低減することができる仕組みを提供することにある。
【手続補正５】
【補正対象書類名】明細書
【補正対象項目名】００１３
【補正方法】変更
【補正の内容】
【００１３】
上記目的を達成するために、請求項１記載のログデータ管理システムは、ログデータを収集する複数のログデータ収集装置と、前記複数のログデータ収集装置にネットワークを介して接続され、前記複数のログデータ収集装置から送信されるログデータを管理するログデータ管理装置とを備えるログデータ管理システムであって、前記ログデータ収集装置は、未送信の前記ログデータに関する滞留情報を前記ログデータ管理装置に送信する滞留情報送信手段と、前記ログデータ管理装置にログデータを送信する送信間隔を変更するための送信間隔制御情報を、前記ログデータ管理装置から受信する送信間隔制御情報受信手段と、前記受信した送信間隔制御情報に基づき前記ログデータの送信間隔を変更する送信間隔変更手段と、前記変更された送信間隔により送信時間となった場合、前記未送信のログデータを前記ログデータ管理装置に送信するログデータ送信手段とを備え、前記ログデータ管理装置は、前記複数のログデータ収集装置から送信される滞留情報を受信する滞留情報受信手段と、前記受信された滞留情報と予め設定される送信間隔に従って、前記複数のログデータ収集装置が前記ログデータを送信する個々の送信間隔を決定する送信間隔決定手段と、前記決定された送信間隔に応じた送信間隔制御情報を前記複数のログデータ収集装置に送信する送信間隔制御情報送信手段とを備えることを特徴とする。
【手続補正６】
【補正対象書類名】明細書
【補正対象項目名】００１４
【補正方法】変更
【補正の内容】
【００１４】
請求項８記載のデータ収集装置は、ログデータを管理するログデータ管理装置とネットワークを介して接続されるログデータ収集装置であって、未送信の前記ログデータに関する滞留情報を前記ログデータ管理装置に送信する滞留情報送信手段と、前記滞留情報の送信に従って、前記ログデータ管理装置にログデータを送信する送信間隔を変更するための送信間隔制御情報を、前記ログデータ管理装置から受信する送信間隔制御情報受信手段と、前記受信した送信間隔制御情報に基づき前記ログデータ送信手段によるログデータの送信間隔を変更する送信間隔変更手段と、前記変更された送信間隔により送信時間となった場合、前記未送信のログデータを前記ログデータ管理装置に送信するログデータ送信手段とを備えることを特徴とする。
【手続補正７】
【補正対象書類名】明細書
【補正対象項目名】００１５
【補正方法】変更
【補正の内容】
【００１５】
請求項９記載のデータ管理装置は、ログデータを収集する複数のログデータ収集装置とネットワークを介して接続されるログデータ管理装置であって、前記複数のログデータ収集装置から送信される未送信のログデータに関する滞留情報を受信する滞留情報受信手段と、前記受信された滞留情報と予め設定される送信間隔に従って、前記複数のログデータ収集装置が前記ログデータを送信する個々の送信間隔を決定する送信間隔決定手段と、前記複数のログデータ収集装置の送信間隔を変更するために、前記決定された送信間隔に応じた送信間隔制御情報を前記複数のログデータ収集装置に送信する送信間隔制御情報送信手段とを備えることを特徴とする。
【手続補正８】
【補正対象書類名】明細書
【補正対象項目名】００１６
【補正方法】変更
【補正の内容】
【００１６】
上記目的を達成するために、請求項１０記載のログデータ管理システムの制御方法は、ログデータを収集する複数のログデータ収集装置と、前記複数のログデータ収集装置にネットワークを介して接続され、前記複数のログデータ収集装置から送信されるログデータを管理するログデータ管理装置とを備えるログデータ管理システムの制御方法であって、前記ログデータ収集装置は、未送信の前記ログデータに関する滞留情報を前記ログデータ管理装置に送信する滞留情報送信ステップと、前記ログデータ管理装置にログデータを送信する送信間隔を変更するための送信間隔制御情報を、前記ログデータ管理装置から受信する送信間隔制御情報受信ステップと、前記受信した送信間隔制御情報に基づき前記ログデータの送信間隔を変更する送信間隔変更ステップと、前記変更された送信間隔により送信時間となった場合、前記未送信のログデータを前記ログデータ管理装置に送信するログデータ送信ステップとを実行し、前記ログデータ管理装置は、前記複数のログデータ収集装置から送信される滞留情報を受信する滞留情報受信ステップと、前記受信された滞留情報と予め設定される送信間隔に従って、前記複数のログデータ収集装置が前記ログデータを送信する個々の送信間隔を決定する送信間隔決定ステップと、前記決定された送信間隔に応じた送信間隔制御情報を前記複数のログデータ収集装置に送信する送信間隔制御情報送信ステップとを実行することを特徴とする。
請求項１１記載のログデータ収集装置の制御方法は、ログデータを管理するログデータ管理装置とネットワークを介して接続されるログデータ収集装置の制御方法であって、未送信の前記ログデータに関する滞留情報を前記ログデータ管理装置に送信する滞留情報送信ステップと、前記滞留情報の送信に従って、前記ログデータ管理装置にログデータを送信する送信間隔を変更するための送信間隔制御情報を、前記ログデータ管理装置から受信する送信間隔制御情報受信ステップと、前記受信した送信間隔制御情報に基づき前記ログデータ送信手段によるログデータの送信間隔を変更する送信間隔変更ステップと、前記変更された送信間隔により送信時間となった場合、前記未送信のログデータを前記ログデータ管理装置に送信するログデータ送信ステップとを実行することを特徴とする。
請求項１２記載のログデータ管理装置の制御方法は、ログデータを収集する複数のログデータ収集装置とネットワークを介して接続されるログデータ管理装置の制御方法であって、前記複数のログデータ収集装置から送信される未送信のログデータに関する滞留情報を受信する滞留情報受信ステップと、前記受信された滞留情報と予め設定される送信間隔に従って、前記複数のログデータ収集装置が前記ログデータを送信する個々の送信間隔を決定する送信間隔決定ステップと、前記複数のログデータ収集装置の送信間隔を変更するために、前記決定された送信間隔に応じた送信間隔制御情報を前記複数のログデータ収集装置に送信する送信間隔制御情報送信ステップとを実行することを特徴とする。
【手続補正９】
【補正対象書類名】明細書
【補正対象項目名】００１７
【補正方法】変更
【補正の内容】
【００１７】
上記目的を達成するために、請求項１３記載のプログラムは、ログデータを収集する複数のログデータ収集装置と、前記複数のログデータ収集装置にネットワークを介して接続され、前記複数のログデータ収集装置から送信されるログデータを管理するログデータ管理装置とを備えるログデータ管理システムを機能させるためのプログラムであって、前記ログデータ収集装置を、未送信の前記ログデータに関する滞留情報を前記ログデータ管理装置に送信する滞留情報送信手段と、前記ログデータ管理装置にログデータを送信する送信間隔を変更するための送信間隔制御情報を、前記ログデータ管理装置から受信する送信間隔制御情報受信手段と、前記受信した送信間隔制御情報に基づき前記ログデータの送信間隔を変更する送信間隔変更手段と、前記変更された送信間隔により送信時間となった場合、前記未送信のログデータを前記ログデータ管理装置に送信するログデータ送信手段として機能させ、前記ログデータ管理装置を、前記複数のログデータ収集装置から送信される滞留情報を受信する滞留情報受信手段と、前記受信された滞留情報と予め設定される送信間隔に従って、前記複数のログデータ収集装置が前記ログデータを送信する個々の送信間隔を決定する送信間隔決定手段と、前記決定された送信間隔に応じた送信間隔制御情報を前記複数のログデータ収集装置に送信する送信間隔制御情報送信手段として機能させることを特徴とする。
請求項１４記載のプログラムは、ログデータを管理するログデータ管理装置とネットワークを介して接続されるログデータ収集装置を、未送信の前記ログデータに関する滞留情報を前記ログデータ管理装置に送信する滞留情報送信手段と、前記滞留情報の送信に従って、前記ログデータ管理装置にログデータを送信する送信間隔を変更するための送信間隔制御情報を、前記ログデータ管理装置から受信する送信間隔制御情報受信手段と、前記受信した送信間隔制御情報に基づき前記ログデータ送信手段によるログデータの送信間隔を変更する送信間隔変更手段と、前記変更された送信間隔により送信時間となった場合、前記未送信のログデータを前記ログデータ管理装置に送信するログデータ送信手段として機能させることを特徴とする。
請求項１５記載のプログラムは、ログデータを収集する複数のログデータ収集装置とネットワークを介して接続されるログデータ管理装置を、前記複数のログデータ収集装置から送信される未送信のログデータに関する滞留情報を受信する滞留情報受信手段と、前記受信された滞留情報と予め設定される送信間隔に従って、前記複数のログデータ収集装置が前記ログデータを送信する個々の送信間隔を決定する送信間隔決定手段と、前記複数のログデータ収集装置の送信間隔を変更するために、前記決定された送信間隔に応じた送信間隔制御情報を前記複数のログデータ収集装置に送信する送信間隔制御情報送信手段として機能させることを特徴とする。
【手続補正１０】
【補正対象書類名】明細書
【補正対象項目名】００１８
【補正方法】削除
【補正の内容】